【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
耐光性放射線硬化性赤色ゲルインクであって、
少なくとも１つの硬化性モノマーと、少なくとも１つの有機ゲル化剤と、少なくとも１つの光開始剤と、少なくとも１つの橙色顔料と、少なくとも１つの赤色顔料とを含み、前記橙色顔料および前記赤色顔料が、赤色を示すように構成され、前記橙色顔料が、約４００〜約５６０ｎｍの波長領域で吸収性であり、約５７０〜約７００ｎｍの領域で透過性であり、前記赤色顔料が、約５１０〜約５８０ｎｍの波長領域で吸収性であり、約５９０〜約７００ｎｍの領域で透過性であり、前記インクが、ＰＡＮＴＯＮＥ（登録商標）Ｒｅｄ  ０３２またはＰＡＮＴＯＮＥ（登録商標）Ｗａｒｍ  Ｒｅｄと色が合い、ΔＥ2000が約３以下である、耐光性放射線硬化性赤色ゲルインク。
【請求項２】
前記放射線が、約２００〜約４００ｎｍの波長を有するＵＶである、請求項１に記載の放射線硬化性インク。
【請求項３】
前記橙色顔料が、約５６０ｎｍ〜約５７０ｎｍの波長領域で部分的に透過性である、請求項１に記載の放射線硬化性インク。
【請求項４】
前記赤色顔料が、約３８０ｎｍ〜約５１０ｎｍで最低限透過性であり、約５８０ｎｍ〜約５９０ｎｍの波長領域で部分的に透過性である、請求項１に記載の放射線硬化性インク。
【請求項５】
前記ゲル化剤が、アミドゲル化剤である、請求項１に記載の放射線硬化性インク。
【請求項６】
前記赤色着色剤が、Ｃ．Ｉ．Ｐｉｇｍｅｎｔ  Ｒｅｄ（ＰＲ）１、Ｃ．Ｉ．Ｐｉｇｍｅｎｔ  Ｒｅｄ  ２、Ｃ．Ｉ．Ｐｉｇｍｅｎｔ  Ｒｅｄ  ３、Ｃ．Ｉ．Ｐｉｇｍｅｎｔ  Ｒｅｄ  ４、Ｃ．Ｉ．Ｐｉｇｍｅｎｔ  Ｒｅｄ  ５、Ｃ．Ｉ．Ｐｉｇｍｅｎｔ  Ｒｅｄ  ６、Ｃ．Ｉ．Ｐｉｇｍｅｎｔ  Ｒｅｄ  ７、Ｃ．Ｉ．Ｐｉｇｍｅｎｔ  Ｒｅｄ  ８、Ｃ．Ｉ．Ｐｉｇｍｅｎｔ  Ｒｅｄ  ９、Ｃ．Ｉ．Ｐｉｇｍｅｎｔ  Ｒｅｄ  １０、Ｃ．Ｉ．Ｐｉｇｍｅｎｔ  Ｒｅｄ  １１、Ｃ．Ｉ．Ｐｉｇｍｅｎｔ  Ｒｅｄ  １２、Ｃ．Ｉ．Ｐｉｇｍｅｎｔ  Ｒｅｄ  １４、Ｃ．Ｉ．Ｐｉｇｍｅｎｔ  Ｒｅｄ  １５、Ｃ．Ｉ．Ｐｉｇｍｅｎｔ  Ｒｅｄ  １６、Ｃ．Ｉ．Ｐｉｇｍｅｎｔ  Ｒｅｄ  １７、Ｃ．Ｉ．Ｐｉｇｍｅｎｔ  Ｒｅｄ  １８、Ｃ．Ｉ．Ｐｉｇｍｅｎｔ  Ｒｅｄ  １９、Ｃ．Ｉ．Ｐｉｇｍｅｎｔ  Ｒｅｄ  ２１、Ｃ．Ｉ．Ｐｉｇｍｅｎｔ  Ｒｅｄ  ２２、Ｃ．Ｉ．Ｐｉｇｍｅｎｔ  Ｒｅｄ  ２３、Ｃ．Ｉ．Ｐｉｇｍｅｎｔ  Ｒｅｄ  ３０、Ｃ．Ｉ．Ｐｉｇｍｅｎｔ  Ｒｅｄ  ３１、Ｃ．Ｉ．Ｐｉｇｍｅｎｔ  Ｒｅｄ  ３２、Ｃ．Ｉ．Ｐｉｇｍｅｎｔ  Ｒｅｄ  ３７、Ｃ．Ｉ．Ｐｉｇｍｅｎｔ  Ｒｅｄ  ３８、Ｃ．Ｉ．Ｐｉｇｍｅｎｔ  Ｒｅｄ  ４０、Ｃ．Ｉ．Ｐｉｇｍｅｎｔ  Ｒｅｄ  ４１、Ｃ．Ｉ．Ｐｉｇｍｅｎｔ  Ｒｅｄ  ４２、Ｃ．Ｉ．Ｐｉｇｍｅｎｔ  Ｒｅｄ  ４８（Ｃａ）、Ｃ．Ｉ．Ｐｉｇｍｅｎｔ  Ｒｅｄ  ４８（Ｍｎ）、Ｃ．Ｉ．Ｐｉｇｍｅｎｔ  Ｒｅｄ  ５７（Ｃａ）、Ｃ．Ｉ．Ｐｉｇｍｅｎｔ  Ｒｅｄ  ５７：１、Ｃ．Ｉ．Ｐｉｇｍｅｎｔ  Ｒｅｄ  ８８、Ｃ．Ｉ．Ｐｉｇｍｅｎｔ  Ｒｅｄ  １１２、Ｃ．Ｉ．Ｐｉｇｍｅｎｔ  Ｒｅｄ  １１４、Ｃ．Ｉ．Ｐｉｇｍｅｎｔ  Ｒｅｄ  １２２、Ｃ．Ｉ．Ｐｉｇｍｅｎｔ  Ｒｅｄ  １２３、Ｃ．Ｉ．Ｐｉｇｍｅｎｔ  Ｒｅｄ  １４４、Ｃ．Ｉ．Ｐｉｇｍｅｎｔ  Ｒｅｄ  １４６、Ｃ．Ｉ．Ｐｉｇｍｅｎｔ  Ｒｅｄ  １４９、Ｃ．Ｉ．Ｐｉｇｍｅｎｔ  Ｒｅｄ  １５０、Ｃ．Ｉ．Ｐｉｇｍｅｎｔ  Ｒｅｄ  １６６、Ｃ．Ｉ．Ｐｉｇｍｅｎｔ  Ｒｅｄ  １６８、Ｃ．Ｉ．Ｐｉｇｍｅｎｔ  Ｒｅｄ  １７０、Ｃ．Ｉ．Ｐｉｇｍｅｎｔ  Ｒｅｄ  １７０：１、Ｃ．Ｉ．Ｐｉｇｍｅｎｔ  Ｒｅｄ  １７１、Ｃ．Ｉ．Ｐｉｇｍｅｎｔ  Ｒｅｄ  １７５、Ｃ．Ｉ．Ｐｉｇｍｅｎｔ  Ｒｅｄ  １７６、Ｃ．Ｉ．Ｐｉｇｍｅｎｔ  Ｒｅｄ  １７７、Ｃ．Ｉ．Ｐｉｇｍｅｎｔ  Ｒｅｄ  １７８、Ｃ．Ｉ．Ｐｉｇｍｅｎｔ  Ｒｅｄ  １７９、Ｃ．Ｉ．Ｐｉｇｍｅｎｔ  Ｒｅｄ  １８４、Ｃ．Ｉ．Ｐｉｇｍｅｎｔ  Ｒｅｄ  １８５、Ｃ．Ｉ．Ｐｉｇｍｅｎｔ  Ｒｅｄ  １８７、Ｃ．Ｉ．Ｐｉｇｍｅｎｔ  Ｒｅｄ  ２０２、Ｃ．Ｉ．Ｐｉｇｍｅｎｔ  Ｒｅｄ  ２０９、Ｃ．Ｉ．Ｐｉｇｍｅｎｔ  Ｒｅｄ  ２１９、Ｃ．Ｉ．Ｐｉｇｍｅｎｔ  Ｒｅｄ  ２２４、Ｃ．Ｉ．Ｐｉｇｍｅｎｔ  Ｒｅｄ  ２４５およびこれらの組み合わせからなる群から選択される、請求項１に記載の放射線硬化性インク。
【請求項７】
前記橙色着色剤は、Ｃ．Ｉ．Ｐｉｇｍｅｎｔ  Ｏｒａｎｇｅ（ＰＯ）１、Ｃ．Ｉ．Ｐｉｇｍｅｎｔ  Ｏｒａｎｇｅ  ２、Ｃ．Ｉ．Ｐｉｇｍｅｎｔ  Ｏｒａｎｇｅ  ５、Ｃ．Ｉ．Ｐｉｇｍｅｎｔ  Ｏｒａｎｇｅ  ７、Ｃ．Ｉ．Ｐｉｇｍｅｎｔ  Ｏｒａｎｇｅ  １３、Ｃ．Ｉ．Ｐｉｇｍｅｎｔ  Ｏｒａｎｇｅ  １５、Ｃ．Ｉ．Ｐｉｇｍｅｎｔ  Ｏｒａｎｇｅ  １６、Ｃ．Ｉ．Ｐｉｇｍｅｎｔ  Ｏｒａｎｇｅ  １７、Ｃ．Ｉ．Ｐｉｇｍｅｎｔ  Ｏｒａｎｇｅ  １９、Ｃ．Ｉ．Ｐｉｇｍｅｎｔ  Ｏｒａｎｇｅ  ２４、Ｃ．Ｉ．Ｐｉｇｍｅｎｔ  Ｏｒａｎｇｅ  ３４、Ｃ．Ｉ．Ｐｉｇｍｅｎｔ  Ｏｒａｎｇｅ  ３６、Ｃ．Ｉ．Ｐｉｇｍｅｎｔ  Ｏｒａｎｇｅ  ３８、Ｃ．Ｉ．Ｐｉｇｍｅｎｔ  Ｏｒａｎｇｅ  ４０、Ｃ．Ｉ．Ｐｉｇｍｅｎｔ  Ｏｒａｎｇｅ  ４３、Ｃ．Ｉ．Ｐｉｇｍｅｎｔ  Ｏｒａｎｇｅ  ６６およびこれらの組み合わせからなる群から選択される、請求項１に記載の放射線硬化性インク。
【請求項８】
前記赤色着色剤または前記橙色着色剤が、前記インクの約０．０５重量％〜約６重量％の量で存在する、請求項１に記載の放射線硬化性インク。
【請求項９】
前記少なくとも１つの硬化性モノマーが、プロポキシル化ネオペンチルグリコールジアクリレート、ジエチレングリコールジアクリレート、トリエチレングリコールジアクリレート、ヘキサンジオールジアクリレート、ジプロピレングリコールジアクリレート、トリプロピレングリコールジアクリレート、エポシキル化ネオペンチルグリコールジアクリレート、イソデシルアクリレート、トリデシルアクリレート、イソボルニルアクリレート、イソボルニル（メタ）アクリレート、プロポキシル化トリメチロールプロパントリアクリレート、エトキシル化トリメチロールプロパントリアクリレート、ジ−トリメチロールプロパンテトラアクリレート、ジペンタエリスリトールペンタアクリレート、エトキシル化ペンタエリスリトールテトラアクリレート、プロポキシル化グリセロールトリアクリレート、イソボルニルメタクリレート、ラウリルアクリレート、ラウリルメタクリレート、ネオペンチルグリコールプロポキシレートメチルエーテルモノアクリレート、イソデシルメタクリレート、カプロラクトンアクリレート、２−フェノキシエチルアクリレート、イソオクチルアクリレート、イソオクチルメタクリレートおよびこれらの組み合わせからなる群から選択される、請求項１に記載の放射線硬化性インク。
【請求項１０】
ワックスを更に含む、請求項１に記載の放射線硬化性インク。
【請求項１１】
光で開始しない活性化剤を更に含む、請求項１に記載の放射線硬化性インク。
【請求項１２】
前記放射線硬化性インクが、青色ウール基準（Ｂｌｕｅ  Ｗｏｏｌ Ｓｃａｌｅ）で約６以上の耐光性を示す、請求項１に記載の放射線硬化性インク。
【請求項１３】
前記放射線硬化性インクが、約２５°から約３９°の色相角を有し、約４９〜約６３のＬ＊を有する、請求項１に記載の放射線硬化性インク。
【請求項１４】
前記赤色着色剤がＣ．Ｉ．ＰＲ  １７０であり、前記橙色着色剤がＣ．Ｉ．ＰＯ  ３４である、請求項１に記載の放射線硬化性インク。
【請求項１５】
ＰＡＮＴＯＮＥ（登録商標）Ｗａｒｍ  Ｒｅｄは、Ｃ．Ｉ．ＰＲ  １７０を約０．５重量％〜約１．２重量％の量で、Ｃ．Ｉ．ＰＯ  ３４を約０．８重量％〜約２重量％の量で含む、請求項１に記載の放射線硬化性インク。
【請求項１６】
ＰＡＮＴＯＮＥ（登録商標）Ｒｅｄ  ０３２は、Ｃ．Ｉ．ＰＲ  １７０を約０．８重量％〜約１．４重量％の量で、Ｃ．Ｉ．ＰＯ  ３４を約０．５重量％〜約１．１重量％の量で含む、請求項１に記載の放射線硬化性インク。
【請求項１７】
赤色放射線硬化性インクの製造方法であって、
少なくとも１つの硬化性モノマーと、少なくとも１つの有機ゲル化剤と、少なくとも１つの光開始剤と、少なくとも１つの橙色着色剤と、少なくとも１つの赤色着色剤と、を混合することであって、前記橙色顔料および前記赤色顔料が、赤色を示すように構成され、前記橙色着色剤が、約４００〜約５６０ｎｍの波長領域で吸収性であり、約５７０〜約７００ｎｍの領域で透過性であり、前記赤色着色剤が、約５１０〜約５８０ｎｍの波長領域で吸収性であり、約５９０〜約７００ｎｍの領域で透過性である、混合することと、
前記混合物を加熱することと、
前記加熱された混合物を冷却してゲルインクを形成することと、を含み、
前記インクが、ＰＡＮＴＯＮＥ（登録商標）Ｒｅｄ  ０３２またはＰＡＮＴＯＮＥ（登録商標）Ｗａｒｍ  Ｒｅｄと色が合い、ΔＥ2000が約３以下である、赤色放射線硬化性インクの製造方法。
【請求項１８】
前記橙色着色剤が、約５６０ｎｍ〜約５７０ｎｍの波長領域で部分的に透過性であり、前記赤色着色剤が、約５８０ｎｍ〜約５９０ｎｍの波長領域で部分的に透過性である、請求項１７に記載の方法。
【請求項１９】
前記赤色着色剤がＣ．Ｉ．ＰＲ  １７０であり、前記橙色着色剤がＣ．Ｉ．ＰＯ  ３４である、請求項１７に記載の方法。